【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
掻き込みリールによって植立穀稈を掻き込みながら刈取作業を行う全稈投入型コンバインであって、
前記掻き込みリールに、
左右のリールフレームと、
前記左右のリールフレームに亘って設けられた支持バーと、
前記支持バーに取り付けられたタインと、
前記支持バーに対する前記タインの支持部分のうち後方側のみを覆うカバーと、が備えられ、
前記タインが、前記カバーの下端部を貫通している全稈投入型コンバイン。
【請求項２】
前記支持部分のうち前記支持バーに取り付けられる被取付部が、前記支持バーの上部に取り付けられ、
前記タインは、前記被取付部から前記支持バーの後方側を通って下方に延ばされており、
前記カバーは、前記支持部分のうち前記被取付部よりも下側の部分を覆っている請求項１に記載の全稈投入型コンバイン。
【請求項３】
前記カバーに、結束具を貫通させる固定孔が備えられ、
前記結束具は、前記固定孔を貫通し、
前記カバーにおける前記固定孔よりも上側の箇所が、前記結束具によって、前記支持バーに巻き付けられている請求項１または２に記載の全稈投入型コンバイン。
【請求項４】
前記カバーに、貫通孔又は切れ目が形成され、
前記貫通孔又は前記切れ目に、前記タインが貫通されている請求項１乃至３の何れか一項に記載の全稈投入型コンバイン。
【請求項５】
前記貫通孔又は前記切れ目が複数形成され、
前記貫通孔又は前記切れ目の夫々に、前記タインが夫々貫通されている請求項４に記載の全稈投入型コンバイン。
【請求項６】
前記タインにおける前記タインの先端部分から前記支持部分へ向かう中途部位に、弦巻状のバネ部が備えられ、
前記カバーによって、前記バネ部が覆われ、
前記タインが、前記バネ部よりも下方位置で前記カバーを貫通している請求項１乃至５の何れか一項に記載の全稈投入型コンバイン。
【請求項７】
前記タインが、前記支持バーの長手方向に間隔を空けて前記支持バーに複数並べて取り付けられ、
前記カバーによって、２つ以上の前記タインの前記支持部分が覆われている請求項１乃至６の何れか一項に記載の全稈投入型コンバイン。
【請求項８】
前記タインが、前記支持バーの長手方向に間隔を空けて前記支持バーに複数並べて取り付けられ、
単一の前記カバーによって、全ての前記タインの前記支持部分が覆われている請求項１乃至７の何れか一項に記載の全稈投入型コンバイン。
【請求項９】
前記カバーが、前記支持バーの長手方向において前記タインとは異なる位置で前記支持バーに取り付けられている請求項１乃至８の何れか一項に記載の全稈投入型コンバイン。
【請求項１０】
前記支持バーとして、不等間隔の第一配列で前記タインが複数並べて取り付けられている第一バーと、前記第一配列とは逆並びの第二配列で前記タインが複数並べて取り付けられている第二バーと、が備えられている請求項１乃至９の何れか一項に記載の全稈投入型コンバイン。
【手続補正２】
【補正対象書類名】明細書
【補正対象項目名】０００６
【補正方法】変更
【補正の内容】
【０００６】
本発明に係る全稈投入型コンバインは、掻き込みリールによって植立穀稈を掻き込みながら刈取作業を行う全稈投入型コンバインであって、
前記掻き込みリールに、
左右のリールフレームと、
前記左右のリールフレームに亘って設けられた支持バーと、
前記支持バーに取り付けられたタインと、
前記支持バーに対する前記タインの支持部分のうち後方側のみを覆うカバーと、が備えられ、
前記タインが、前記カバーの下端部を貫通しているものである。
【手続補正３】
【補正対象書類名】明細書
【補正対象項目名】０００７
【補正方法】変更
【補正の内容】
【０００７】
本発明によれば、支持バーに対するタインの支持部分をカバーで覆っているので、カバーによって、穀稈がタインの支持部分に接触するのを防止することができる。しかも、タインがカバーを貫通しているので、カバーがある程度しっかりと位置決めされている。このように、本発明であると、カバーによって、タインの支持部分を安定した状態でしっかりと覆うことができる。したがって、本発明によれば、穀稈がタインの支持部分に引っ掛かったり、からまったりするのを効率よく防止できる。
上記構成において、前記支持部分のうち前記支持バーに取り付けられる被取付部が、前記支持バーの上部に取り付けられ、
前記タインは、前記被取付部から前記支持バーの後方側を通って下方に延ばされており、
前記カバーは、前記支持部分のうち前記被取付部よりも下側の部分を覆っていると好適である。
上記構成において、前記カバーに、結束具を貫通させる固定孔が備えられ、
前記結束具は、前記固定孔を貫通し、
前記カバーにおける前記固定孔よりも上側の箇所が、前記結束具によって、前記支持バーに巻き付けられていると好適である。
【手続補正４】
【補正対象書類名】明細書
【補正対象項目名】００１４
【補正方法】変更
【補正の内容】
【００１４】
上記構成において、前記タインにおける前記タインの先端部分から前記支持部分へ向かう中途部位に、弦巻状のバネ部が備えられ、
前記カバーによって、前記バネ部が覆われ、
前記タインが、前記バネ部よりも下方位置で前記カバーを貫通していると好適である。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
さらに、一般的にタインは、下後方への移動時に植立穀稈を後方へ掻き込むので、穀稈は、タインに対して後方からだけでなく、下方からも接触する。即ち、穀稈は、バネ部にも後方かつ下方から接触する。本構成を採用すると、カバーはバネ部を下方から覆うことになるので、バネ部への穀稈の引っ掛かりをさらに防止することができる。
【手続補正７】
【補正対象書類名】明細書
【補正対象項目名】００３９
【補正方法】変更
【補正の内容】
【００３９】
結束バンド４９（「結束具」に相当）等のような固定具によってハンプカバー４１を支持バー３９側に取り付け可能とするために、固定孔４８が、ハンプカバー４１に形成されている。固定孔４８を利用して結束バンド４９によりハンプカバー４１を支持バー３９側に取り付けるには、まず、結束バンド４９を固定孔４８に挿通する。そして、固定孔４８に結束バンド４９が挿通された状態で結束バンド４９を支持バー３９につき一周して巻きつけて締め付ける。これにより、ハンプカバー４１が固定孔４８の部位で支持バー３９に密着して固定される。このようにして、全ての固定孔４８について、結束バンド４９等の固定具による支持バー３９に対するハンプカバー４１の固定がなされている。
【手続補正８】
【補正対象書類名】明細書
【補正対象項目名】００６５
【補正方法】変更
【補正の内容】
【００６５】
２０      ：掻き込みリール
３７      ：リールフレーム
３９      ：支持バー
４０      ：タイン
４０Ａ    ：先端部分
４０Ｂ    ：被取付部
４１      ：ハンプカバー（「カバー」）
４３      ：支持部分
４５      ：バネ部
４７      ：貫通孔
４８      ：固定孔
４９      ：結束バンド（結束具）
５０      ：第一バー
５１      ：第二バー
５６      ：切れ目